(57)【要約】【課題】簡単に製造できるブラシを提供する。また、その製造方法を提供する。【解決手段】ブラシ１は、塑性変形可能なステンレスにより形成されて捻り変形された台材２と、台材２に沿って植設され台材２の周りに放射状に突出する複数の線条材３とを備えるものである。また、このブラシ１の製造方法は、塑性変形可能なステンレスにより形成された台材２と、台材２の長さ方向に沿って植設された複数の線条材３とを有してなるブラシ部材の台材２を捻り変形させるものである。【選択図】        図１
2004344267.tif 000002
【特許請求の範囲】
【請求項１】
塑性変形可能な材質により形成されて捻り変形された台材と、該台材に沿って植設され該台材の周りに放射状に突出する複数の線条材とを備えることを特徴とするブラシ。
【請求項２】
前記線条材がそれぞれ植設された複数の前記台材を備えることを特徴とする請求項１に記載のブラシ。
【請求項３】
複数の前記台材にそれぞれ植設された前記線条材は、種類が互いに異なることを特徴する請求項２に記載のブラシ。
【請求項４】
前記台材が外周に螺旋状に巻回された芯材を備えることを特徴とする請求項１から請求項３までのいずれか一つに記載のブラシ。
【請求項５】
放射状に突出する複数の線条材を備えたブラシの製造方法であって、
塑性変形可能な材質により形成された台材と、該台材の長さ方向に沿って植設された複数の線条材とを有してなるブラシ部材の前記台材を捻り変形させることを特徴とするブラシの製造方法。
【発明の詳細な説明】
【０００１】
【発明の属する技術分野】
本発明は、ブラシ及びその製造方法に関するものである。特に、放射状に突出する複数の線条材を備えたブラシ及びその製造方法に関するものである。
【０００２】
【従来の技術】
従来から、各種部材の表面の清掃、又は、各種工作物のバリ・反りの除去などに用いられるブラシや、掃除機などの吸入口に設けられるブラシが知られている。これらのブラシは、具体的には、線条材の束を台材に植設したブラシ部材を、棒状の芯材の周面に巻きつけたものや、芯材の周面に螺旋状の溝を設け、その溝の端部からブラシ部材の台材を挿し込んだものなどである。また、これらのブラシでは、芯材の一端に利用者が把持できるように柄などを設けて利用したり、または、芯材の両端または一端を回転機構などに取り付けて利用したりしている。
【０００３】
なお、これらのブラシは、一般的なものである。本出願人は、これらを特定する文献を知見していない。
【０００４】
【発明が解決しようとする課題】
しかしながら、上記の従来技術は次に挙げるような不都合を有していた。ブラシ部材を芯材に巻きつけたブラシでは、台材の一端を芯材に固定したのちに芯材を回転するとともに長さ方向へと送ることによって、台材を芯材により塑性加工しながら芯材の周面に巻きつけることにより製造している。この場合、芯材の周面と台材の内周との隙間を無くして密着させながら、しかも、台材が一定の間隔となるように、芯材及びブラシ部材を制御しなければならず、煩雑な作業を要していた。また、芯材の溝にブラシ部材の台材を挿し込んだブラシでは、芯材に溝を設けなければならないし、台材を溝の端部から挿し込んで組み付けなければならないため、この場合も煩雑な作業を要していた。
【０００５】
本発明は上記の実情を鑑み、簡単に製造できるブラシの提供を課題とするものである。また、そのブラシの製造方法の提供を課題とする。
【０００６】
【課題を解決するための手段】
本発明にかかるブラシは、「塑性変形可能な材質により形成されて捻り変形された台材と、該台材に沿って植設され該台材の周りに放射状に突出する複数の線条材とを備える」ものである。
【０００７】
台材の材質は、塑性変形可能なものであればよく、例えば、ステンレス・鉄・真鍮・亜鉛・銅・アルミニウムなどの金属が挙げられる。
【０００８】
線条材は、例えば毛のように、細長いものであり、可撓性を有するものが好ましい。例えば、合成樹脂などを用いて形成されているとよい。合成樹脂としては、例えば、ポリアミド・ポリエステル・アクリル・ビニロン・ポリ塩化ビニルなどが挙げられる。また、線条材は、植物繊維・動物繊維などの天然繊維を用いて形成されてもよい。植物繊維としては、例えば、麻・綿などが挙げられ、動物繊維としては、例えば、豚毛・馬毛・羊毛などの獣毛繊維が挙げられる。さらに、線条材は、鉄・銅・ステンレスなどの金属で形成されることを排除しない。
【０００９】
本発明にかかるブラシは、捻り変形されている台材の周りに、線条材の束が放射状に突出して構成されることになる。このブラシは、捻り変形する前の棒状の台材に予め線条材の束を植設したのち、台材を捻り変形することによって形成される。台材を捻る前の段階では、台材に線条材の束が長さ方向に沿って植設されており、台材における線条材の植設箇所の連なりが一直線となって線条材の束が一つの方向に向いていることになる。そして、この台材を捻ることにより、台材における線条材の植設箇所の連なりが螺旋状となり、これによって線条材の束が中心軸となる台材の周囲に放射状に突出することになるのである。捻り方は、例えば、台材の両端をそれぞれ挟持し、互いに逆方向に回転させるなどすればよい。このように、本発明のブラシは、放射状に突出する複数の線条材を備えたブラシを簡単に製造できる。
【００１０】
なお、台材は、十分な剛性を有する材質により形成すれば、線条材を支持するとともにブラシ全体の芯とすることもできる。このような態様では、ブラシは芯の役割を果たす、台材とは別の部材を必須の構成としない。したがって、放射状に突出する複数の線条材を備えたブラシを簡単な構成で実現できる。
【００１１】
上述のブラシを、「前記線条材がそれぞれ植設された複数の前記台材を備える」ものとしてもよい。
【００１２】
これは、線条材がそれぞれ植設された台材を複数備え、複数の台材が一体的に捻られて形成されたものである。この場合、捻る前の棒状の台材を複数合わせて、複数の台材の両端をそれぞれ挟持し、互いに逆方向に回転させるなどすれば、複数の台材同士が互いに螺旋状に巻回されて一体的に形成されるのである。複数の台材は、二本、三本、四本などのうちでいずれでもよく、また、それ以上でもよい。これにより、ブラシ全体の長さ方向における線条材の束の間が狭くなり、台材が一本のみの場合より線条材の束が長さ方向に密なブラシが形成されることになる。したがって、線条材の束が長さ方向に密なブラシを簡単な工程で製造できる。
【００１３】
また、複数の捻られた台材がブラシの芯の役割を果たすことから、台材が一本のみの場合よりもブラシの芯の強度が強くなる。これによって、線条材の束の先端によって対象物を強く押圧する必要がある作業などに対しても、本発明のブラシを使用することができる。
【００１４】
ここで、それぞれ線条材の束が植設された複数の台材の一体的な捻り方としては、例えば、台材を捻る前の段階で、例えば複数の台材を同じ姿勢で並設するなどして、線条材の束のなす角が一定となるように複数の台材を合わせてから一体的に捻るようにしてもよく、また、例えば複数の台材を互いに放射状となる姿勢で並設するなどして、線条材の束のなす角がそれぞれ異なるように複数の台材を合わせてから一体的に捻るようにしてもよい。
【００１５】
上述のブラシを、「複数の前記台材にそれぞれ植設された前記線条材は、種類が互いに異なる」ものとしてもよい。
【００１６】
これは、台材を複数備えるブラシにおいて、線条材の種類を台材ごとに互いに異ならせたものである。ここで、線条材の種類が互いに異なるとは、具体的には、例えば、線条材の長さ、線条材の材質、線条材の太さ、線条材の先端の形状、及び、線条材の色などが互いに異なるということである。そして、このように線条材の種類が異なれば、その特性も異なることになる。このような互いに特性の異なる線条材を組み合わせることによって、ブラシに対して、新たな特性を付与したり、あるいは、線条材それぞれの特性を兼ね備えるようにしたりすることができる。
【００１７】
上述のブラシを、「前記台材が外周に螺旋状に巻回された芯材を備える」ものとしてもよい。
【００１８】
これは、ブラシの芯としての役割を果たす芯材を構成にさらに加えたものである。芯材は、塑性変形させることなく、台材を捻って外周に螺旋状に巻回させてもよく、あるいは、塑性変形可能な材質により形成し、台材とともに一体的に捻って塑性変形させて、台材を外周に螺旋状に巻回させてもよい。このようにすれば、ブラシの芯の強度を向上させることが可能となる。これによって、線条材の先端によって対象物を強く押圧する必要がある作業などにも、本発明のブラシを使用することが可能となり、ブラシの用途を広げることができる。ここで、台材を複数備え、複数の台材を一体的に捻ることによってブラシを形成する場合でも、芯の役割に関しては同様の作用効果を奏することができるが、例えば、ブラシの長さ方向における線条材の束を疎のままにしておきたい場合などは、このような芯材を用いる方が好適なのである。
【００１９】
一方、本発明に係るブラシの製造方法は、「放射状に突出する複数の線条材を備えたブラシの製造方法であって、塑性変形可能な材質により形成された台材と、該台材の長さ方向に沿って植設された複数の線条材とを有してなるブラシ部材の前記台材を捻り変形させる」ものである。
【００２０】
本発明のブラシの製造方法では、複数の線条材と、この線条材の束を長さ方向に沿って植設した棒状の台材とを有するブラシ部材を利用し、このブラシ部材の台材を捻り加工することによって、複数の線条材を放射状に突出させて、ブラシを得るものである。このように、本発明のブラシの製造方法では、放射状に突出する複数の線条材を備えたブラシを簡易に製造できる。
【００２１】
詳しくは、ブラシ部材は、台材に線条材の束が長さ方向に沿うように植設していることから、台材における線条材の植設箇所の連なりが一直線となって線条材の束が一つの方向に向いていることになる。そして、このブラシ部材の台材を捻ることにより、台材における線条材の植設箇所の連なりが螺旋状となり、これによって線条材の束が螺旋状に拡がることになるのである。捻り方は、例えば、台材の両端を治具などを用いてそれぞれ挟持し、両端を互いに逆方向に回転させるなどすればよい。こうすれば、台材の捻れが一箇所に偏ることもなく、一定の割合の螺旋に自然と捻れることになり好適である。
【００２２】
【発明の実施の形態】
以下、本発明のブラシについて、好適な実施形態を挙げて説明する。先ず、本発明の第一実施形態であるブラシ１について、図１および図２に基いて説明する。ブラシ１は、各種筒状部材の洗浄、又は、各種工作物のバリ・反りの除去などに用いられるものであって、図１に示すように、一本の台材２と、線条材３の束とを備えるものである。なお、図１は、ブラシ１の正面図を示している。
【００２３】
台材２は、塑性変形可能なステンレスにより形成されたものであり、また、捻り変形されたものである。この台材２は、複数の線条材３を挟持して支持するとともに、ブラシ１全体の芯の役割を果たしている。
【００２４】
線条材３の束は、台材２に捻り方向に沿って植設されているものであり、台材２の周りに放射状に突出している。線条材３は、合成樹脂により形成されており、長さが約２５ｍｍの細長いものである。この線条材３の先端が対象物に当接しブラッシングを行うのである。
【００２５】
次に、第一実施形態のブラシ１の製造方法について説明する。ブラシ１の製造方法は、植設工程と、捻り工程とを有している。植設工程は、図２に示すように、複数の線条材３と、この線条材３の束が直交するとともに長さ方向に沿って挟持固定された捻り加工する前の台材２とを有するブラシ部材４を得る工程である。これは、台材２の原型となる、細長く、また、平滑な板状の部材を用意して、これを中央で二枚に折り畳む際に、線条材３の束をその間に挟みこんでブラシ部材４を得るものである。なお、図２は、ブラシ部材４の（ａ）正面図、（ｂ）断面図を示している。
【００２６】
捻り工程では、植設工程により得られたブラシ部材４を加工してブラシ１を得る工程である。ブラシ部材４は、捻り加工する前の台材２に線条材３の束が直交するとともに長さ方向に沿うように植設していることから、台材２における線条材３の植設箇所の連なりが一直線となって線条材３の束が一つの方向を向いている。このブラシ部材４の台材２の両端を治具（図示省略）を用いて挟持するとともに、両端を互いに逆方向に回転させることにより、ブラシ部材４の台材２が捻り変形されて線条材３の植設箇所の連なりが螺旋状となり、線条材３の束が中心軸である台材２の周囲に放射状に突出することになるのである。これにより、ブラシ１が得られる。なお、ブラシ部材４の台材２は、捻られるとともにに長さが短くなるため、捻り加工に際して、台材２の両端を挟持している治具を、互いに逆方向に回転させながら互いに近づかせるように制御する必要がある。このような治具を用いることにより、台材２の捻れが一箇所に偏ることもなく、一定の割合で自然に捻れることになり好適である。
【００２７】
このように、第一実施形態のブラシ１は、捻り変形されている台材２の周りに、線条材３の束が放射状に突出して構成されることになる。台材２は、線条材３を支持するとともにブラシ１全体の芯となる。このため、ブラシ１は、芯の役割を果たす、台材２とは別の部材を必須の構成としない。したがって、ブラシ１の芯が細くなり、開口の小さい筒状の容器または管などにおいて挿入させることが可能となり、使用の範囲を広げることができる。
【００２８】
また、第一実施形態のブラシ１の製造方法では、ブラシ部材４の台材２を捻り変形させればよく、従来技術のように、ブラシ部材を棒状の芯材の周面に巻きつけたり、芯材の周面に螺旋状の溝を設け、その溝の端部からブラシ部の台材を挿し込んだりする煩雑な作業を要しない。このため、簡単な工程で製造することができ、工業的な実施において有利である。
【００２９】
次に、本発明の第二実施形態であるブラシ２１について、図３に基いて説明する。ブラシ２１は、各種筒状部材の洗浄、又は、各種工作物のバリ・反りの除去などに用いられるものであって、図３に示すように、二本の台材２２，２３と、二種類の線条材２４，２５の束とを備えるものである。なお、図３は、ブラシ２１の正面図を示している。
【００３０】
台材２２は、塑性変形可能なステンレスにより形成されたものであり、また、捻り変形されたものである。また、台材２３は、この台材２２と同様に、塑性変形可能なステンレスにより形成されたものであり、また、台材２２とともに一体的に捻り変形されたものである。つまり、これら台材２２と台材２３とは、互いに螺旋状に絡み合っている。そして、これら台材２２と台材２３とは、それぞれ複数の線条材２４，２５を挟持して支持するとともに、ブラシ１全体の芯の役割を果たしている。
【００３１】
線条材２４の束は、台材２２に捻り方向に沿って植設されているものであり、台材２２の周りに放射状に突出している。また、線条材２５の束は、台材２３の捻り方向に沿って植設されているものであり、台材２３の周りに放射状に突出している。これら線条材２４，２５の先端が対象物に接しブラッシングを行うのである。ここで、線条材２４，２５は、材質、色、形状、長さなどの適宜の要素が互いに異なる異種のものである。
【００３２】
次に、第二実施形態のブラシ２１の製造方法について説明する。ブラシ２１の製造方法は、植設工程と、捻り工程とを有している。ここで、植設工程は、第一実施形態における植設工程とほぼ同様であるため、詳細な説明を省略する。
【００３３】
捻り工程では、植設工程により得られた二本のブラシ部材を加工してブラシ２１を得る工程である。捻り工程は、第一実施形態における捻り工程と同様、ブラシ部材の台材２２，２３を捻ることによりブラシ２１を得るのであるが、複数の台材２２，２３を一体的に捻る必要がある。この場合、捻る前の棒状の台材２２，２３を合わせて、台材２２，２３の両端を治具を用いてそれぞれ挟持し、互いに逆方向に回転させるなどすれば、台材２２，２３同士が互いに螺旋状に巻回されて一体的に形成される。なお、ブラシ部材の台材２２，２３は、捻られるとともにに長さが短くなるため、捻り加工に際して、台材２２，２３の両端を挟持している治具を、互いに逆方向に回転させながら互いに近づかせるように制御する必要がある。このように治具を用いることにより、複数の台材２２，２３を捻る場合であっても、台材２２，２３の捻れが一箇所に偏ることもなく、一定の割合で自然に捻れることになり好適である。
【００３４】
このように、第二実施形態のブラシ２１では、線条材２４，２５がそれぞれ植設された台材２２，２３を備え、二本の台材２２，２３が一体的に捻られて形成されている。これにより、ブラシ２１全体の長さ方向における線条材２４，２５の束の間が狭くなり、台材が一本のみの場合より線条材２４，２５の束が長さ方向に密なブラシ２１が形成されることになる。したがって、線条材２４，２５の束が長さ方向に密なブラシ２１を簡単な工程で製造できる。
【００３５】
また、第二実施形態のブラシ２１では、台材２２に植設された線条材２４と、台材２３に植設された線条材２５との種類が互いに異なる。具体的には、線条材２４，２５では、材質、色、形状、長さなどが互いに異なる。
【００３６】
このように、線条材２４，２５の長さが台材２２，２３ごとに互いに、相対的に、異なるようにしたものであれば、一方の台材の線条材の束の先端が、他方の台材の線条材の束の先端より突出したりするようになったり、長さの異なる複数の線条材の束を備えたブラシが形成されることになる。このようなブラシであれば、長い線条材の束のみを対象物に当接させて使用したり、全ての線条材の束が対象物に当接するように使用したりと、本発明のブラシの使用方法に変化を加えることできる。
【００３７】
また、このように線条材２４，２５の材質が台材２２，２３ごとに互いに異なるようにしたものであれば、材質がそれぞれ異なる複数の線条材の束を備えたブラシが形成されることになる。線条材の材質としては、例えば、ポリアミド・ポリエステル・アクリル・ビニロン・ポリ塩化ビニルなどの合成樹脂、麻・綿などの植物繊維または豚毛・馬毛・羊毛などの獣毛繊維など天然繊維などが挙げられる。これらはブラシに対してそれぞれ異なる機能を付与することになる。例えば、合成樹脂などで線条材を形成すれば、ブラシに、硬質で、吸湿性（吸水性）に乏しく、また、短時間で乾燥しやすくなるなどの特性を付与することになる。あるいは、獣毛繊維など、非常に細い繊維を線条材として用いれば、ブラシに、軟質で、水分を吸収しやすくなるなどの特性を付与することになる。そして、これらの互いに性質の異なる線条材を組み合わせることによって、ブラシに対して、新たな特性を付与したり、あるいは、全ての特性を兼ね備えるようにしたりすることができるのである。
【００３８】
以上、本発明について好適な実施形態を挙げて説明した。しかし、本発明はこの実施形態に限定されるものではなく、以下に示すように、本発明の要旨を逸脱しない範囲において、種々の改良及び設計の変更が可能である。
【００３９】
１．第一及び第二実施形態のブラシ１，２１では、台材２，２２，２３を、細長くて平滑な板状の部材を二枚に折り畳み、その間に複数の線条材を挟持したのち、捻り変形して形成したものを示した。しかし、これに特に限定されるものではない。例えば、二つの別個の部材からなり、その間に複数の線条材を挟持して圧着固定したのちに、捻り変形したものであってもよい。
【００４０】
２．第一及び第二実施形態のブラシ１，２１では、台材２，２２，２３を芯として活用し、芯としての役割を果たす別の部材を示していない。しかし、これに特に限定されるものではない。例えば、図４に示すように、ブラシ３１は、台材３２が外周に螺旋状に巻回された芯材３３を備えるものとしてもよい。芯材３３は、塑性変形可能な材質により形成し、台材３２とともに一体的に捻って塑性変形させて、台材３２を外周に螺旋状に巻回させればよい。なお、図４は、ブラシ３１の正面図を示している。
【００４１】
このようにすれば、ブラシ３１の芯の強度を向上させることが可能となる。これによって、線条材３４の先端によって対象物を強く押圧する必要がある作業などにも、本発明のブラシを使用することが可能となり、ブラシの用途を広げることができる。ここで、台材を複数備え、複数の台材を一体的に捻ることによってブラシを形成する場合でも、芯の役割に関しては同様の作用効果を奏することができるが、例えば、ブラシの長さ方向における線条材の束を疎のままにしておきたい場合などは、このような芯材を用いる方が好適なのである。
【００４２】
また、図４に示した例に限らず、図示は省略するが、太く、剛性の高い棒状の芯材を利用して、この芯材を塑性変形させることなく、ブラシ部材の台材を捻って外周に螺旋状に巻回させてもよい。
【００４３】
３．第一実施形態のブラシ１では、線条材３を植設した一本の台材２を示し、第二実施形態のブラシ２１では、線条材２４，２５をそれぞれ植設した二本の台材２２，２３を示した。しかし、これに特に限定されるものではない。本発明のブラシでは、線条材を植設した台材を、三本備えたものであってもよく、四本備えたものであってもよく、また、五本以上備えたものであってもよい。
【００４４】
このように、複数の台材を備えたブラシの場合、製造に際して、複数のブラシ部材を合わせて、複数の台材を同時に一体的に捻り変形させる。それぞれ線条材の束が植設された複数の台材の一体的な捻り方としては、例えば、台材を捻る前の段階で、例えば複数の台材を同じ姿勢で並設するなどして、線条材の束のなす角が一定となるように複数の台材を合わせてから一体的に捻るようにしてもよく、また、例えば複数の台材を互いに放射状となる姿勢で並設するなどして、線条材の束のなす角がそれぞれ異なるように複数の台材を合わせてから一体的に捻るようにしてもよい。
【００４５】
この捻り加工に際して、台材の端を挟持するための溝部を有する治具を利用するとよい。例えば、図５に示すように、複数の溝部５１を中心から放射状に設けるとともに、隣り合う溝部５１同士のなす角が一定の等角度となるように設けた治具５２を用いる。この治具５２を二つ利用して、複数のブラシ部材６１の両端を挟持する。なお、図５は、治具を説明する斜視図である。
【００４６】
詳しくは、治具５２の溝部５１に、ブラシ部材６１の台材６２の一端を挿入して挟持させる。すると、複数の台材６２が異なる姿勢で並設されることになる。また、線条材６３の束が中心から放射状に配置され、隣り合う線条材６３の束のなす角が一定の等角度に配置される。そして、複数のブラシ部材６１の両端を挟持した二つの治具５２を、互いに逆方向に回転させることにより、複数の台材６２同士が互いに螺旋状に巻回されて一体的に形成される。このとき、複数のブラシ部材６１の台材６２は、捻られるとともに長さが短くなるため、捻り加工に際して、台材６２の両端を挟持している二つの治具５２を、互いに逆方向に回転させながら互いに近づかせるように制御する。
【００４７】
なお、このような治具５２は、上述の第一及び第二実施形態であるブラシ１，２１の製造方法の捻り工程でも適用することができる。また、溝部５１は、図５に示した例に限らず、一直線状に形成されているものや、中心から四方向へ放射状に形成されているものなどであってもよい。また、複数の溝部５１同士のなす角は、一定の等角度であってもよく、それぞれ異なるようにしてもよい。
【００４８】
４．第一及び第二実施形態のブラシ１，２１の製造方法では、植設工程を有したものを示した。しかし、これに特に限定されるものではなく、ブラシ部材４を予め用意することなどによって、植設工程は省略してしまってもよい。
【００４９】
【発明の効果】
以上のように、本発明に係るブラシは、簡単に製造できるブラシ及びその製造方法を提供できる。
【図面の簡単な説明】
【図１】本発明の第一実施形態であるブラシの構成を示す正面図である。
【図２】ブラシ部材の構成を示す（ａ）正面図、（ｂ）断面図である。
【図３】本発明の第二実施形態であるブラシの構成を示す正面図である。
【図４】本発明の他の実施形態であるブラシの構成を示す正面図である。
【図５】本発明の他の実施形態であるブラシにおいて治具を説明する斜視図である。
【符号の説明】
１，２１，３１  ブラシ
２，２２，２３，３２，６２  台材
３，２４，２５，３４，６３  線条材
４，６１  ブラシ部材
３３  芯材
【図１】
2004344267.tif 000003
【図２】
2004344267.tif 000004
【図３】
2004344267.tif 000005
【図４】
2004344267.tif 000006
【図５】
2004344267.tif 000007